(57)【要約】【課題】  本発明は、ブロードキャストシステムにおけるユーザー個人向けサービスの提供方法と装置及びそのシステムを提供する。【解決手段】ブロードキャストサービス（ＢＣＡＳＴ）加入管理部（ＢＳＭ）は、最大許可コンテンツと最大許可サービス要素が追加された少なくとも一つの購買データフラグメントを含むサービス生成要求メッセージをＢＣＡＳＴサービス分配／調整部（ＢＳＤＡ）に送信する。ＢＳＤＡは、購買データフラグメントを使用してサービスガイドを生成して移動端末に転送する。移動端末は、サービスガイドのサービス種類を確認した後に、個人向けサービス加入をＢＳＭに要求し、この個人向けサービスに対応する暗号キーを受信して個人向けサービスを受信する。【選択図】図３
2011522450.tif 000002
【特許請求の範囲】
【請求項１】
ブロードキャストサービス（ＢＣＡＳＴ）における個人向けサービスを提供する方法であって、
ＢＣＡＳＴ加入管理部（ＢＳＭ）によって、最大許可コンテンツと最大許可サービス要素が追加された少なくとも一つの購買データフラグメントを含むサービス生成要求メッセージをＢＣＡＳＴサービス分配／調整部（ＢＳＤＡ）に送信するステップと、
前記ＢＳＤＡによって、前記購買データフラグメントを用いてサービスガイドを生成し、前記生成されたサービスガイドを移動端末に転送するステップと、
前記移動端末によって、前記サービスガイドのサービスタイプを確認して前記個人向けサービスの加入を前記ＢＳＭに要求するステップと、
前記ＢＳＭによって、前記個人向けサービスに対する最終的に選択するか否かを決定する情報を含む加入応答メッセージを送信し、前記個人向けサービスに対応する暗号キーを前記移動端末に送信するステップと、
を具備することを特徴とする個人向けサービスを提供する方法。
【請求項２】
個人向けサービスを提供するブロードキャストサービス（ＢＣＡＳＴ）装置及びそのシステムであって、
サービスガイドからサービスタイプを確認して前記個人向けサービス加入を要求する移動端末と、
前記移動端末からの要求によってユーザーの選好度及び加入期間を考慮して前記個人向けサービスに加入を完了し、前記個人向けサービスに対応する暗号キーを前記移動端末に提供するＢＣＡＳＴ加入管理部（ＢＳＭ）と、
を含むことを特徴とする個人向けサービスを提供するブロードキャストサービス装置及びそのシステム。
【発明の詳細な説明】
【技術分野】
【０００１】
本発明は、ブロードキャストサービス（Ｂｒｏａｄｃａｓｔ  Ｓｅｒｖｉｃｅ：以下、“ＢＣＡＳＴ”と称する）をサポートする携帯ブロードキャストシステムに関するもので、特にユーザーの選好度に基づいた個人向けサービス（ｐｅｒｓｏｎａｌｉｚｅｄ  ｓｅｒｖｉｃｅ）を提供する方法と装置及びそのシステムに関する。
【背景技術】
【０００２】
移動通信市場では、既存技術の再結合又は統合を通じて新たなサービスの生産が持続的に要求されている。現在、通信及びブロードキャスト技術の発展によって、従来のブロードキャストシステム及び移動通信システムにかわって、携帯電話、ＰＤＡ（Ｐｅｒｓｏｎａｌ  Ｄｉｇｉｔａｌ  Ａｓｓｉｓｔａｎｔ）のような携帯端末（以下、“移動端末”と称する）を通じたブロードキャストサービスが提供されている。
【０００３】
このような潜在的で実質的な市場需要とマルチメディアサービスに対して急増するユーザーの要求、既存の音声サービスに加えてブロードキャストサービスのような新たなサービスを提供しようとするプロバイダの戦略、及びユーザーの要求を受け入れて移動通信事業を強化している情報技術（Ｉｎｆｏｒｍａｔｉｏｎ  Ｔｅｃｈｎｏｌｏｇｙ：以下、“ＩＴ”と称する）企業の利害関係のため、移動通信サービスとインターネットプロトコル（Ｉｎｔｅｒｎｅｔ  Ｐｒｏｔｏｃｏｌ：以下、“ＩＰ”と称する）との融合は、次世代移動通信技術開発の主流となっている。これは、移動通信市場だけでなく、一般有線市場でも同様であり、多様な無線又はブロードキャストサービスを導入及び適用させる段階に至り、このような多方面にわたる融合は、有線又は無線ブロードキャストに関係なく多様なサービスに対して同一の消費環境を作るようになった。
【０００４】
一方、オープンモバイルアライアンス（Ｏｐｅｎ  Ｍｏｂｉｌｅ  Ａｌｌｉａｎｃｅ：以下、“ＯＭＡ”と称する）は、個人向けモバイルソリューションの相互連動のための標準を研究する団体であって、主に移動通信用ゲーム、インターネットサービスに対する多様なアプリケーション標準を定める役割をする。特に、このＯＭＡのワーキンググループの中で、ＯＭＡ  ＢＣＡＳＴ（Ｏｐｅｎ  Ｍｏｂｉｌｅ  Ａｌｌｉａｎｃｅ  Ｂｒｏｗｓｅｒ  ａｎｄ  Ｃｏｎｔｅｎｔ  Ｍｏｂｉｌｅ  Ｂｒｏａｄｃａｓｔ  Ｗｏｒｋｉｎｇ  Ｇｒｏｕｐ）では移動端末を用いてブロードキャストサービスを提供する技術標準を研究している。
【０００５】
図１は、本発明が適用されるブロードキャストサービスシステムを示すブロック構成図である。これは、ブロードキャストサービスを提供するようにアプリケーション階層及びその下位階層の伝送階層までの標準技術を制定しているＯＭＡ  ＢＣＡＳＴ作業グループの論理構造を示す。
【０００６】
図１を参照すると、コンテンツ供給者（Ｃｏｎｔｅｎｔ  Ｃｒｅａｔｉｏｎ：以下、“ＣＣ”と称する）１０１は、ＢＣＡＳＴサービスの基になるコンテンツを供給する。このコンテンツは、通常のブロードキャストサービスのためのファイル、例えば映画、オーディオ、ビデオのためのデータを含むことができる。また、コンテンツ供給者１０１は、サービスガイドの生成及びこのサービスが伝送される伝送ベアラを決定するための上記コンテンツに対する属性（ａｔｔｒｉｂｕｔｅ）をＢＣＡＳＴサービスアプリケーション１０２に提供する。
【０００７】
ＢＣＡＳＴサービスアプリケーション１０２は、コンテンツ供給者１０１からＢＣＡＳＴサービスのデータを受信してメディア符号化、コンテンツ保護、双方向サービスを提供するのに適合した形態で加工する。また、ＢＣＡＳＴサービスアプリケーション１０２は、コンテンツ供給者１０１から受信したコンテンツに対する属性をＢＣＡＳＴサービス分配／調整部（ＢＣＡＳＴ  Ｓｅｒｖｉｃｅ  Ｄｉｓｔｒｉｂｕｔｉｏｎ／Ａｄａｐｔａｔｉｏｎ：ＢＳＤＡ）１０３とＢＣＡＳＴ加入管理部（ＢＣＡＳＴ  Ｓｕｂｓｃｒｉｐｔｉｏｎ  Ｍａｎａｇｅｍｅｎｔ：ＢＳＭ）１０４に提供する。
【０００８】
ＢＣＡＳＴサービス分配／調整部１０３は、ＢＣＡＳＴサービスアプリケーション１０２から受信したＢＣＡＳＴサービスデータを用いてファイル及びストリーミング伝送、サービス収集、サービス保護、サービスガイドの生成及び伝送、及びサービス通知（ｎｏｔｉｆｉｃａｔｉｏｎ）のような動作を遂行する。また、ＢＣＡＳＴサービス分配／調整部１０３は、サービスをブロードキャスト分配システム１１２に合わせて調整する。
【０００９】
ＢＣＡＳＴ加入管理部１０４は、ＢＣＡＳＴサービスユーザーの加入及び料金関連機能のようなサービスを規定し、ＢＣＡＳＴサービスに使用される情報を規定し、ＢＣＡＳＴサービスを受信する移動端末をハードウェア又はソフトウェアにより管理する。
【００１０】
移動端末（ｔｅｒｍｉｎａｌ）１０５は、コンテンツ及びサービスガイドとコンテンツ保護のようなプログラム支援情報を受信してユーザーにブロードキャストサービスを提供する。ＢＤＳサービス分配部１１１は、ブロードキャスト分配システム１１２及び双方向ネットワーク（Ｉｎｔｅｒａｃｔｉｏｎ  Ｎｅｔｗｏｒｋ）１１３と相互通信を通じて携帯ブロードキャストサービスを複数の移動端末に伝送する。
【００１１】
ブロードキャスト分配システム１１２は、ブロードキャストチャンネルを介して携帯ブロードキャストサービスを伝送し、例えば、３ＧＰＰ（３ｒｄ  Ｇｅｎｅｒａｔｉｏｎ  Ｐｒｏｊｅｃｔ  Ｐａｒｔｎｅｒｓｈｉｐ）のＭＢＭＳ（Ｍｕｌｔｉｍｄｉａ  Ｂｒｏｄａｄｃａｓｔ  Ｍｕｌｔｉｃａｓｔ  Ｓｅｒｖｉｃｅ）、第３世代同期移動通信標準機構である３ＧＰＰ２（３ｒｄ  Ｇｅｎｅｒａｔｉｏｎ  Ｐｒｏｊｅｃｔ  Ｐａｒｔｎｅｒｓｈｉｐ  ２）のＢＣＭＣＳ（Ｂｒｏａｄｃａｓｔ  Ｍｕｌｔｉｃａｓｔ  Ｓｅｒｖｉｃｅ）、デジタルブロードキャスト標準機構であるＤＶＢ（Ｄｉｇｉｔａｌ  Ｖｉｄｅｏ  Ｂｒｏａｄｃａｓｔｉｎｇ）のＤＶＢ−Ｈ（ＤＶＢ−Ｈａｎｄｈｅｌｄ）又はＩＰ（Ｉｎｔｅｒｎｅｔ  Ｐｒｏｔｏｃｏｌ）ベースのブロードキャスト／通信ネットワークとなり得る。ここで、双方向ネットワーク１１３は、双方向チャンネルを提供し、例えばセルラーネットワークとなり得る。
【００１２】
次に、論理エンティティ間の接続通路である参照ポイント（ｒｅｆｅｒｅｎｃｅ  ｐｏｉｎｔ）について説明する。参照ポイントは、目的に応じて複数のインターフェースを有する。このインターフェースは、所定の目的のために２個以上の論理エンティティ間の通信に使用され、そのためにメッセージ形式とプロトコルなどが適用される。
【００１３】
図１において、ＢＣＡＳＴ−１  １２１はコンテンツ及びコンテンツ属性の送信経路であり、ＢＣＡＳＴ−２  １２２はコンテンツが保護され（Ｃｏｎｔｅｎｔ−ｐｒｏｔｅｃｔｅｄ）、あるいはコンテンツが保護されない（Ｃｏｎｔｅｎｔ−ｕｎｐｒｏｔｅｃｔｅｄ）ＢＣＡＳＴサービスとＢＣＡＳＴサービスの属性及びコンテンツ属性の送信経路である。ＢＣＡＳＴ−３  １２３は、ＢＣＡＳＴサービスの属性、コンテンツの属性、ユーザーの優先（ｐｒｅｆｅｒｅｎｃｅ）及び加入情報、ユーザー要求、その要求に対する応答の送信経路である。ＢＣＡＳＴ−４  １２４は、通知メッセージ、サービスガイドに使用される属性、コンテンツ保護及びサービス保護に使用されるキーの送信経路である。
【００１４】
図１において、ＢＣＡＳＴ−５  １２５は、保護されたＢＣＡＳＴサービス、サービスが保護されないＢＣＡＳＴサービス、コンテンツが保護されたＢＣＡＳＴサービス、コンテンツが保護されないＢＣＡＳＴサービス、ＢＣＡＳＴサービス属性、コンテンツ属性、通知、サービスガイド、ＢＣＡＳＴサービス保護に使用されるＤＲＭ（Ｄｉｇｉｔａｌ  Ｒｉｇｈｔ  Ｍａｎａｇｅｍｅｎｔ）ＲＯ（Ｒｉｇｈｔ  Ｏｂｊｅｃｔ）及びキー値のセキュリティ要素（ｓｅｃｕｒｉｔｙ  ｍａｔｅｒｉａｌ）とブロードキャストチャンネルを介して伝送されるすべてのデータと信号の送信経路である。
【００１５】
図１において、ＢＣＡＳＴ−６  １２６は、保護されたＢＣＡＳＴサービス、保護されないＢＣＡＳＴサービス、コンテンツが保護されたＢＣＡＳＴサービス、コンテンツが保護されないＢＣＡＳＴサービス、ＢＣＡＳＴサービス属性、コンテンツ属性、通知、サービスガイド、ＢＣＡＳＴサービス保護に使用されるＤＲＭ  ＲＯ及びキー値などのセキュリティ要素と双方向（ｉｎｔｅｒａｃｔｉｏｎ）チャンネルを介して伝送されるすべてのデータと信号の送信経路である。
【００１６】
図１でＢＣＡＳＴ−７  １２７は、サービス規定、加入情報、装置管理、ＢＣＡＳＴサービス保護に使用されるＤＲＭ  ＲＯ及びキー値のセキュリティ要素の受信に関連した制御情報の双方向チャンネルを介して伝送されるユーザー優先情報の送信経路である。
【００１７】
ＢＣＡＳＴ−８  １２８は、ＢＣＡＳＴサービスに対するユーザーのデータが連動される送信経路である。ＢＤＳ−１  １２９は、保護されたＢＣＡＳＴサービス、保護されないＢＣＡＳＴサービス、ＢＣＡＳＴサービス属性、コンテンツ属性、通知、サービスガイド及びＢＣＡＳＴサービス保護に使用されるＤＲＭ  ＲＯ及びキー値などのセキュリティ要素の送信経路である。ＢＤＳ−２  １３０は、サービス規定、加入情報、装置管理及びＢＣＡＳＴサービス保護に使用されるＤＲＭ  ＲＯ及びキー値のセキュリティ要素の送信経路である。
【００１８】
図１でＸ−１  １３１は、ＢＤＳサービス分配部１１１とブロードキャスト分配システム１１２との間の参照ポイントである。Ｘ−２  １３２は、ＢＤＳサービス分配部１１１と双方向ネットワーク１１３との間の参照ポイントである。Ｘ−３  １３３は、ブロードキャスト分配システム１１２と移動端末１０５との間の参照ポイントである。Ｘ−４  １３４は、ＢＤＳサービス分配部１１１及びブロードキャストチャンネルを通じた移動端末１０５間の参照ポイントである。Ｘ−５  １３５は、ＢＤＳサービス分配部１１１及び双方向チャンネルを通じた移動端末１０５間の参照ポイントである。Ｘ−６  １３６は、双方向ネットワーク１１３と移動端末１０５との間の参照ポイントである。
【００１９】
図２は、本発明が適用されるブロードキャストサービスを受信するためのサービスガイドの構成を示す。これは、サービスガイドを生成するためのデータモデルを示す図である。図２において、各フラグメントを接続する実線は各フラグメント間の相互参照を意味する。
【００２０】
図２は、サービスガイドデータモデルは、管理グループ２００、供給グループ２１０、コアグループ２２０、及びアクセスグループ２３０で構成される一例を示す。
【００２１】
管理（ａｄｍｉｎｉｓｔｒａｔｉｖｅ）グループ２００は、移動端末がサービスガイドを受信するための基本情報を提供するグループである。すなわち、全体サービスガイドの上位構成情報を提供する。管理グループ２００は、サービスガイド転送記述子（Ｓｅｒｖｉｃｅ  Ｇｕｉｄｅ  Ｄｅｌｉｖｅｒｙ  Ｄｅｓｃｒｉｐｔｏｒ）フラグメント２０１を含む。
【００２２】
供給グループ２１０は、加入及び購買情報を含む。供給グループ２１０は、購買アイテム（ＰｕｒｃｈａｓｅＩｔｅｍ）フラグメント２１１、購買データ（ＰｕｒｃｈａｓｅＤａｔａ）フラグメント２１２、及び購買チャンネル（ＰｕｒｃｈａｓｅＣｈａｎｎｅｌ）フラグメント２１３から構成される。
【００２３】
また、コアグループ２２０は、サービス、コンテンツ、スケジュールのようなサービスガイドの核心部であり、サービスフラグメント２２１、スケジュールフラグメント２２２、及びコンテンツフラグメント２２３を含む。
【００２４】
アクセスグループ２３０は、サービス又はコンテンツに接続できるように接続情報を提供し、アクセスフラグメント２３１及びセッション記述（Ｓｅｓｓｉｏｎ  Ｄｅｓｃｒｉｐｔｉｏｎ）フラグメント２３２を含む。
【００２５】
その他のサービスガイド情報は、図２に示すように、上記した４個のグループ以外にプレビューデータ（ＰｒｅｖｉｅｗＤａｔａ）フラグメント２４１と双方向データ（ＩｎｔｅｒａｃｔｉｖｉｔｙＤａｔａ）フラグメント２５１を含む。上記した各々の構成要素は、サービスガイドを構成する最小単位であるフラグメントと呼ばれる。すなわち、一つのサービスガイドは、それぞれの目的を有するフラグメントで構成され、それぞれのフラグメントは用途によってグループに区分される。図２で、各フラグメントを連結する実線は、各フラグメント間の相互参照を意味する。
【００２６】
次に、上述した各フラグメントについて説明する。サービスガイド転送記述子フラグメント２０１は、サービスガイドを構成するフラグメントを有しているサービスガイド転送ユニット（Ｓｅｒｖｉｃｅ  Ｇｕｉｄｅ  Ｄｅｌｉｖｅｒｙ  Ｕｎｉｔ：以下、“ＳＧＤＵ”と称する）が位置する転送セッション情報を通知し、ＳＧＤＵに対するグルーピング情報及び通知メッセージを受信するためのエントリポイント（Ｅｎｔｒｙ  Ｐｏｉｎｔ）を通知する。また、サービスガイド転送記述子フラグメント２０１は、サービスガイド受信のためのエントリポイント及びフラグメントのコンテナ（Ｃｏｎｔａｉｎｅｒ）であるＳＧＤＵに対するグルーピング情報（Ｇｒｏｕｐｉｎｇ  Ｉｎｆｏｒｍａｔｉｏｎ）を知らせる。
【００２７】
購買アイテムフラグメント２１１は、サービス、コンテンツ、時間などのバンドル（Ｂｕｎｄｌｅ）を提供してユーザーが該当購買アイテムフラグメント２１１を加入又は購買できるように助ける。購買データフラグメント２１２は、サービス又はサービスバンドルに対するコスト情報、プロモーション情報のような購買及び加入に関する具体的な情報を含む。購買チャンネルフラグメント２１３は、加入又は購買のための接続情報を通知する。
【００２８】
サービスフラグメント２２１は、全体サービスガイドの中心としてブロードキャストサービスに含まれるコンテンツの上位集合体であり、サービスの内容、ジャンル、サービス領域などの情報を含む。スケジュールフラグメント２２２は、ストリーミング、ダウンロード（Ｄｏｗｎｌｏａｄｉｎｇ）のようなサービスに含まれたコンテンツそれぞれの時間情報を示す。コンテンツフラグメント２２３は、ブロードキャストされるコンテンツに関する詳細な説明、ターゲットユーザーグループ、サービス領域、ジャンルを含む。
【００２９】
アクセスフラグメント２３１は、サービスを見られるように接続と関連した情報を提供し、該当接続セッションに関する伝送方法、セッション情報を提供する。
【００３０】
セッション記述（Ｓｅｓｓｉｏｎ  Ｄｅｓｃｒｉｐｔｉｏｎ）フラグメント２３２は、アクセスフラグメント２３１に含まれることができ、ＵＲＩ（Ｕｎｉｆｏｒｍ  Ｒｅｓｏｕｒｃｅ  Ｉｄｅｎｔｉｆｉｅｒ）形態で位置情報を提供することによって、移動端末が該当セッション記述フラグメント２３２に関する情報を確認可能にする。セッション記述フラグメント２３２は、該当セッションに存在するマルチメディアコンテンツに関するアドレス情報、コーデック情報などを提供する。
【００３１】
また、プレビューデータ（ＰｒｅｖｉｅｗＤａｔａ）フラグメント２４１は、サービス、スケジュール、コンテンツに関するプレビュー情報を提供するために使用され、双方向データ（Ｉｎｔｅｒａｃｔｉｖｉｔｙ  Ｄａｔａ）フラグメント２５１は、該当サービス、スケジュール、コンテンツによって放送中に双方向サービスの提供に使用される。
【００３２】
サービスガイドに関する具体的な情報は、添付された図２の上位データモデルに基づいて詳細内容及び値を提供するための多様な要素値及び属性値によって定義される。
【００３３】
上述したように、ＢＣＡＳＴシステムでは、有線システムでサービスを提供することと同様に、非常に多様でかつ多量のサービスをサービスガイドを通じてユーザーに提供しようとする。
【００３４】
しかしながら、移動端末、すなわち携帯ブロードキャストシステムの特性を考慮すれば、ユーザーは、移動中、あるいは時間に余裕がある場合にサービスを使用するようになる。このとき、ユーザーは、使用する所望のサービスを探し出すために相当な時間を必要とする。
【００３５】
このような理由で、ユーザーは、大きな不便をこうむっている。この問題を解決するためには、ユーザーがより迅速に必要なサービスを享受できるサービス提供方法が必要である。さらに、ユーザーによって選好されるサービスが常に提供できる場合、ユーザーがサービス選択に費やす時間を短縮するためのサービス提供方法が必要である。
【発明の概要】
【発明が解決しようとする課題】
【００３６】
そこで、本発明は上記従来のブロードキャストサービスを提供する方法及び装置とそのシステムにおける問題点に鑑みてなされたものであって、本発明の目的は、ブロードキャストシステムにおいてユーザーの選好度を考慮したブロードキャストサービスを提供する方法及び装置とそのシステムを提供することにある。
【００３７】
また、本発明の目的は、ブロードキャストシステムにおいて移動端末ユーザーの選好度を考慮してユーザーに個人向けサービスを提供する方法及び装置とそのシステムを提供することにある。
【００３８】
さらに、本発明の目的は、ブロードキャストシステムにおいて移動端末のユーザーが個人向けサービスに加入し、加入した特定サービス及びコンテンツを受信する方法及び装置とそのシステムを提供することにある。
【課題を解決するための手段】
【００３９】
上記のような目的を達成するために、本発明の一態様によれば、ブロードキャストシステムで加入管理部が個人向けサービスを提供するステップと、ユーザーがユーザー選好度及び加入期間を加入管理部に伝送するステップと、ユーザーの選好度及び加入期間を考慮して加入管理部がユーザーの個人向けサービスに対する加入を処理するステップとを具備することを特徴とする。
【００４０】
本発明の他の態様によれば、ブロードキャストサービス（ＢＣＡＳＴ）における個人向けサービスを提供する方法であって、ＢＣＡＳＴ加入管理部（ＢＳＭ）によって、最大許可コンテンツと最大許可サービス要素が追加された少なくとも一つの購買データフラグメントを含むサービス生成要求メッセージをＢＣＡＳＴサービス分配／調整部（ＢＳＤＡ）に送信するステップと、ＢＳＤＡによって、購買データフラグメントを用いてサービスガイドを生成し、生成されたサービスガイドを移動端末に転送するステップと、移動端末によって、サービスガイドのサービスタイプを確認して個人向けサービスの加入をＢＳＭに要求するステップと、ＢＳＭによって、個人向けサービスに対する最終的に選択するか否かを決定する情報を含む加入応答メッセージを送信し、個人向けサービスに対応する暗号キーを移動端末に送信するステップとを具備することを特徴とする。
【発明の効果】
【００４１】
本発明は、移動端末のような携帯通信デバイスを通じてユーザーのサービス選好度を満足するブロードキャストサービスを提供する効果を有する。また、本発明は、携帯ブロードキャストサービスを提供するシステムでユーザーのサービス又はサービスコンテンツの選択及び加入時に、最小の時間で最上のユーザー選好度を満足させるユーザーの個人向けサービスを提供する効果を有する。
【図面の簡単な説明】
【００４２】
【図１】本発明が適用されるＯＭＡ  ＢＣＡＳＴの論理構成を示す図である。
【図２】本発明が適用されるサービスガイドの構成を示す図である。
【図３】本発明による個人向けサービスを提供するためのメッセージフローを示す図である。
【図４】本発明の一実施形態による移動端末の信号フローチャートである。
【図５】本発明の一実施形態によるＢＳＭの信号フローチャートである。
【発明を実施するための形態】
【００４３】
以下、本発明の望ましい実施形態を添付の図面を参照して詳細に説明する。
下記の説明では具体的な特定事項が示されているが、これは本発明のより全般的な理解を助けるために提供されるだけで、このような特定事項がなくても本発明が実施できることは、当該技術分野における通常の知識を持つ者には明らかである。また、本発明の説明において、関連した公知の機能又は構成に関する具体的な説明が本発明の要旨を不明にすると判断される場合に、その詳細な説明を省略する。
【００４４】
後述する詳細な説明では、上述した技術的課題をなすために本発明の代表的な実施形態を提示する。また。本発明では、説明の便宜のために非同期移動通信標準である３ＧＰＰ又は移動端末のアプリケーションの標準機構であるＯＭＡ  ＢＣＡＳＴによって定義されるエンティティの名称を同一に使用するが、このような標準及び名称が本発明の範囲を限定するものではなく、類似した技術的背景を有するシステムにも適用可能であることはもちろんである。
【００４５】
一例として、本発明が適用されるＯＭＡ  ＢＣＡＳＴは、サービスガイド、ダウンロード及びストリーミング伝送技術、サービス及びコンテンツ保護技術、サービス加入、ローミングなど携帯端末の環境でＩＰベースのブロードキャストサービスを提供するための技術を標準化している。これと関連して、本発明は、有無線環境の融合による統合サービス提供の市場流れを反映するために、ＯＭＡ  ＢＣＡＳＴのような携帯ブロードキャスト技術もモバイル環境を超えて有無線統合環境でサービスを提供できる方案を提供しようとする。
【００４６】
そして、本発明の便宜のために、ＯＭＡ  ＢＣＡＳＴ技術のサービスガイドそれぞれのフラグメントに対する詳細な要素値及び属性値は詳細な説明に含めていない。一例による詳細な要素値及び属性値は本発明を制限してはならず、携帯ブロードキャストサービスのために提供されるサービスガイドに関して、以後必要によって定義されるすべての要素値及び属性値は、本発明に適用できることを意味する。
まず、本発明で使用されるメッセージスキーマ（ｓｃｈｅｍａ）の説明は＜表１＞に示す通りである。
【００４７】
【表１】
2011522450.tif 000003
【００４８】
ここで、名称（Ｎａｍｅ）は、該当メッセージを構成する要素値と属性値に対する名称を示す。タイプ（Ｔｙｐｅ）は、該当名称が要素値又は属性値のうちどの形態であるかを意味する。要素値は、Ｅ１，Ｅ２，Ｅ３，Ｅ４のような値を有し、Ｅ１は全体メッセージに対する上位要素値を、Ｅ２はＥ１の下位要素値を、Ｅ３はＥ２の下位要素値を、Ｅ４はＥ３の下位要素値を、各々示す。属性値はＡで表示し、Ａは該当要素の属性値を示す。一例として、Ｅ１下位のＡは、Ｅ１の属性値を示す。カテゴリ（Ｃａｔｅｇｏｒｙ）は、該当要素値又は属性値が必須内容であるか否かを区分するために使用され、必須である場合にはＭ値を有し、オプションである場合には０値を有する。濃度（Ｃａｒｄｉｎａｌｉｔｙ）は、要素間の関係を示し、０，０．．１，１，０．．ｎ，１．．ｎの値を有する。０はオプションを意味し、１は必須関係を意味し、ｎは複数の値を有することができることを意味する。例えば、０．．ｎは該当要素値がなく、あるいはｎ個の値を有することが可能であることを意味する。記述（Ｄｅｓｃｒｉｐｔｉｏｎ）は、該当要素又は属性値が意味することを示し、データタイプ（ＤａｔａＴｙｐｅ）は、該当要素値又は属性値に対するデータ形態を示す。
【００４９】
図３は、本発明によって個人向けサービスを提供するためのメッセージフローを示す。
【００５０】
図３を参照すると、ブロードキャストシステムは、移動端末３０１と、ＢＣＡＳＴサービス分配／調整部（ＢＳＤＡ）３０２と、ＢＣＡＳＴ加入管理部（ＢＳＭ）３０３とを含む。これらの論理エンティティは、各々図１の１０５，１０３，１０４と同一である。
【００５１】
ステップ３０４で、ＢＳＭ３０３はＢＳＤＡ３０２に個人向けサービス生成を要求する。このとき、ＢＳＭ３０３は、移動端末３０１の個人向けサービス加入時に必要な購買情報を示す購買データフラグメントをサービス生成要求メッセージと一緒に含んで伝送する。ここで、購買データフラグメントは、一つの個人向けサービスを表すために複数個が存在する場合もある。これは、移動端末３０１のユーザーに多様な加入期間を提供するためである。また、個人向けサービスを構成することにおいて、サービスプロバイダは、特定期間の間サービスを提供し、あるいは特定コンテンツ、又は特定サービスの数だけサービスを提供し、あるいは特定期間の間に特定コンテンツ又は特定サービスの数だけサービスを提供する方案を提供できる。
【００５２】
本発明では、この個人向けサービスのために購買データフラグメントに新規要素である最大許可コンテンツ（以下、‘ＭａｘＡｌｌｏｗｅｄＣｏｎｔｅｎｔ’と称する）及び最大許可サービス（以下、‘ＭａｘＡｌｌｏｗｅｄＳｅｒｖｉｃｅ’と称する）を定義する。このＭａｘＡｌｌｏｗｅｄＣｏｎｔｅｎｔ及びＭａｘＡｌｌｏｗｅｄＳｅｒｖｉｃｅ要素は、サービスプロバイダがユーザーに個人向けサービスに加入することを提供する場合に、いくつかの最大サービス又はいくつかの最大コンテンツが使用可能であるかを知らせるために使用される。
下記の＜表２＞は、本発明で提案した新規要素であるＭａｘＡｌｌｏｗｅｄＣｏｎｔｅｎｔ及びＭａｘＡｌｌｏｗｅｄＳｅｒｖｉｃｅが追加される購買データフラグメントを示す。
【００５３】
【表２】
2011522450.tif 000004
2011522450.tif 000005
【００５４】
ステップ３０４で個人向けサービス生成要求を受信すると、ＢＳＤＡ３０２は、要求メッセージと共に受信した購買データフラグメントを用いて個人向けサービスが含まれたサービスガイドを生成する。ステップ３０５で、ＢＳＤＡ３０２は、生成されたサービスガイドを移動端末３０１に伝送する。すなわち、ステップ３０５で転送されるサービスガイドには、個人向けサービスを知らせるために個人向けサービスフラグメントが生成される。個人向けサービスフラグメントをサポートするために、本発明では、‘ＰｅｒｓｏｎａｌｉｚｅｄＳｅｒｖｉｃｅ’をサービスフラグメントに新たなサービスタイプとして定義する。個人向けサービスを知らせるこのサービスタイプ‘ＰｅｒｓｏｎａｌｉｚｅｄＳｅｒｖｉｃｅ’が追加されたサービスフラグメントの構成は、下記の＜表３＞の通りである。
【００５５】
【表３】
2011522450.tif 000006
2011522450.tif 000007
【００５６】
ステップ３０５でサービスガイドを受信すると、移動端末３０１は、サービスガイドのサービスタイプを用いて個人向けサービスを確認する。移動端末３０１は、サービスを加入するための購買条件を購買データフラグメントを通して確認し、このサービスを選択した後に、ステップ３０６で加入要求をＢＳＭ３０３に送信する。
このとき、ステップ３０６で使用される加入要求メッセージは、ＢＣＡＳＴによって定義された加入要求メッセージに、本発明のために新たにユーザー選好度を示すＵｓｅｒＰｒｅｆｅｒｅｎｃｅ要素とその下位要素であるｇｅｎｒｅ及びＰｒｅｆｅｒｅｎｃｅＰｒｏｆｉｌｅを含む。ＰｒｅｆｅｒｅｎｃｅＰｒｏｆｉｌｅは、ａｔｔｒｉｂｕｔｅＮａｍｅ及びａｔｔｒｉｂｕｔｅＶａｌｕｅ要素に分けられる。ここで、ＵｓｅｒＰｒｅｆｅｒｅｎｃｅ要素は、個人向けサービス加入を指示し、必要な情報を示す。このｇｅｎｒｅ要素とユーザーが関心を有するサービス又はコンテンツジャンルを示し、ＰｒｅｆｅｒｅｎｃｅＰｒｏｆｉｌｅはユーザーの細部的である選好度を伝送するために使用される。２個の要素は、複数個で使用でき、各々一つずつ又は共に使用されることができる。あるいは、それらが使用されないこともできる。
【００５７】
別途に選好度を表示せずに、ＢＳＭ３０３に含まれているユーザー選好プロファイルを使用しようとする場合、移動端末３０１は、ＰｒｅｆｅｒｅｎｃｅＰｒｏｆｉｌｅ及びｇｅｎｒｅ要素がないメッセージをＢＳＭ３０３に伝送すればよい。
下記の＜表４＞は、上述した内容が反映されたサービス加入要求メッセージを示す。これは、ＵｓｅｒＰｒｅｆｅｒｅｎｃｅが追加された加入要求メッセージである。
【００５８】
【表４】
2011522450.tif 000008
2011522450.tif 000009
2011522450.tif 000010
2011522450.tif 000011
【００５９】
ステップ３０６で個人向けサービス加入要求を受信すると、ＢＳＭ３０３は、受信したメッセージに個人向けサービスに必要な情報がない場合、ステップ３０７で格納されているユーザープロファイルを用いて個人向けサービスに必要な情報を獲得する。一方、ステップ３０８で、ＢＳＭ３０３は、個人向けサービス加入要求メッセージを通して獲得した個人向けサービス生成情報又はＢＳＭ３０３に格納されているユーザープロファイルを通じて個人向けサービスを生成する。ステップ３０８で生成された個人向けサービスに対して、ＢＳＭ３０３は、ステップ３０９で、移動端末３０１に個人向けサービス応答メッセージを伝送する。
【００６０】
ステップ３０９で、伝送される応答メッセージは、ＢＣＡＳＴによって定義されたサービス加入応答メッセージに、本発明のために追加されるＰｅｒｓｏｎａｌｉｚｅｄＳｅｒｖｉｃｅ要素とその下位要素であるＣｏｎｆｉｒｍａｔｉｏｎＲｅｑｕｉｒｅｄ、ＳｃｈｅｄｕｌｅＩｄ、ＳｅｒｖｉｃｅＩｄ、及びＣｏｎｔｅｎｔＩｄ要素が含まれる。選択的にＰｕｒｃｈａｓｅＩｔｅｍＦｒａｇｍｅｎｔ及びＰｕｒｃｈａｓｅＤａｔａＦｒａｇｍｅｎｔが追加されることができる。加入応答メッセージのＰｅｒｓｏｎａｌｉｚｅｄＳｅｒｖｉｃｅ要素は、該当メッセージが個人向けサービス加入要求に対する応答及び関連情報を知らせる要素である。
【００６１】
ＢＳＭ３０３は、個人向けサービス提供のために、ユーザーに多様なタイプの個人向けサービス候補を選定してユーザーに選択要求をし、ＣｏｎｆｉｒｍａｔｉｏｎＲｅｑｕｉｒｅｄは、ＢＳＭ３０３がユーザーのために生成した個人向けサービスのリストの中でユーザーの最終選択及び確認要求をする場合に使用される。ＳｃｈｅｄｕｌｅＩｄは、スケジュールフラグメントの識別子であり、移動端末３０１に任意の時間に基づいてユーザーにサービス及びコンテンツを提供することを通知するために使用される。ＳｅｒｖｉｃｅＩｄ及びＣｏｎｔｅｎｔＩｄは、各々サービスフラグメント及びコンテンツ識別子であり、スケジュールフラグメントの時間情報に従ってどのサービス又はコンテンツを提供するかを通知するために使用される。
【００６２】
選択的に使用できるＰｕｒｃｈａｓｅＩｔｅｍＦｒａｇｍｅｎｔ及びＰｕｒｃｈａｓｅＤａｔａＦｒａｇｍｅｎｔは、ＢＳＭ３０３で購買フラグメントを新たにユーザーのためにサーバで定義して個人向けサービスを提供する場合に使用するＰｕｒｃｈａｓｅＩｔｅｍＦｒａｇｍｅｎｔは、個人向けサービスでサービス、コンテンツ、時間などの情報を提供し、ＰｕｒｃｈａｓｅＤａｔａＦｒａｇｍｅｎｔ  は、ＰｕｒｃｈａｓｅＩｔｅｍＦｒａｇｍｅｎｔのコスト情報、プロモーション情報のような購買及び加入に対する具体的な情報を含む。
下記＜表５＞は、上記の内容が反映されたサービス加入応答メッセージを示す。これは、ＰｅｒｓｏｎａｌｉｚｅｄＳｅｒｖｉｃｅ要素が追加された加入応答メッセージである。
【００６３】
【表５】
2011522450.tif 000012
2011522450.tif 000013
【００６４】
ステップ３１０は、選択的に生成できるメッセージを示す。サービスプロバイダが、個人向けサービスの生成において、ユーザーに同一の時間又は加入を要求したコンテンツ又は加入を要求したサービス数以上のサービスやコンテンツを提供することによって、ユーザーが選択できるようにステップ３０９で加入応答メッセージを生成して伝送する場合、ステップ３１０で、ユーザーは、このプロバイダが提供したリストから所望するサービス又はコンテンツを選択して最終的にＢＳＭ３０３に個人向けサービスリスト確認メッセージを伝送できる。ステップ３１０で伝送される個人向けサービスリスト確認メッセージの構成は、＜表６＞の通りである。
【００６５】
【表６】
2011522450.tif 000014
【００６６】
最後に、ステップ３１１で、ＢＳＭ３０３は、コンテンツ又はサービスの使用のために必要な暗号キー（ＬＴＫＭ）を移動端末３０１に伝送する。この暗号キーは、ＢＣＡＳＴによって定義された方式で伝送され得る。
【００６７】
図４は、本発明によって個人向けサービスをサポートする移動端末の信号フローチャートである。
図４を参照すると、移動端末は、ステップ４０１で、ＢＳＭからサービスガイドを受信し、ユーザーにサービスガイド内容を提供する。ユーザーは、ステップ４０１で、サービスガイドを通して個人向けサービスの存在を認知し、ステップ４０２で所望する個人向けサービスを選択する。このとき、ユーザーは、ＢＳＭ３０３に存在するプロファイルを用いて個人向けサービスを選択できる。
【００６８】
ステップ４０２で選択された個人向けサービス情報を獲得すると、移動端末３０１は、ステップ４０３で、加入要求メッセージを生成してＢＳＭ３０３に伝送する。ステップ４０３で伝送されたこのメッセージは、＜表４＞に示すようである。
【００６９】
ステップ４０４で、移動端末は、ＢＳＭから加入応答メッセージを受信する。ステップ４０４で受信された加入応答メッセージは、＜表５＞に示すようであり、このメッセージは、ユーザーが加入した個人向けサービスの構成に必要な情報を有する。
【００７０】
移動端末は、ステップ４０４で獲得した個人向けサービスの構成に必要な情報を分析する。ＣｏｎｆｉｒｍａｔｉｏｎＲｅｑｕｉｒｅｄが存在する場合、移動端末は、ステップ４０５で、ユーザーに最終的へ個人向けサービスの構成に対する選択を要求する。選択が必要でない場合には、移動端末は、ステップ４０７で、個人向けサービスをユーザーに提供するために各サービス及びコンテンツを把握して構成した後に登録する。しかしながら、ユーザーの最終選択が必要である場合には、移動端末は、＜表６＞に示すように、個人向けサービスリスト確認メッセージを生成してＢＳＭに伝送し、ユーザーによって選択されたサービス及びコンテンツに基づいてステップ４０７以後のステップを遂行する。
【００７１】
ステップ４０８で、移動端末は、個人向けサービスを構成する各サービス及びコンテンツのアクセスに必要な暗号キー（ＬＴＫＭ）をＢＳＭから受信する。その後、移動端末は、暗号キーを用いて該当サービス及びコンテンツを受信する。
【００７２】
図５は、本発明によって個人向けサービスをサポートするＢＳＭの信号フローチャートである。
【００７３】
図５を参照すると、ＢＳＭは、ステップ５０１で、ＢＳＤＡに個人向けサービス生成を要求する。ここで、ＢＳＭは、ＢＳＤＡに購買データフラグメント、例えば、＜表２＞の購買データフラグメントを各々プロバイダが指定した個人向けサービス料金率によって各々生成して伝送する。ステップ５０２で、ＢＳＭは、ＢＳＤＡを通じて、サービスガイドを受信した移動端末から＜表４＞に示した加入要求メッセージを受信する。ＢＳＭは、ステップ５０３で、受信した加入要求メッセージが個人向けサービス加入要求メッセージであるか否かを確認する。受信したメッセージが一般的な加入要求メッセージである場合、ＢＳＭは、ステップ５０４で、通常的な加入手順を遂行する。一方、受信したメッセージが個人向けサービス加入要求メッセージであると判断された場合には、ＢＳＭは、ステップ５０５で、受信した加入要求メッセージのＰｅｒｓｏｎａｌｉｚｅｄＳｅｒｖｉｃｅ要素を分析してジャンル、ユーザー提供プロファイル又はＢＳＭに格納されているプロファイルを用いて個人向けサービスを生成する。個人向けサービスは、スケジュールフラグメントに基づいて関連したサービス及びコンテンツフラグメントを選択して生成される。
【００７４】
このとき、ＢＳＭは、ユーザーによって加入要求されたコンテンツ又はサービスの数以上のコンテンツ又はサービスを用いて、個人向けサービスを生成し、ユーザーに最終選択を要求する場合にはステップ５０６に進行する。
【００７５】
一方、ステップ５０３で受信したユーザーの加入要求による個人向けサービスを生成する場合には、ＢＳＭは、ステップ５０７で、個人向けサービスに該当する各フラグメントの識別子を挿入した加入応答メッセージを＜表５＞に示すように生成して移動端末に伝送する。その後、ＢＳＭは、ステップ５１１を遂行する。
【００７６】
ステップ５０５及び５０６を通じてユーザーによって要求される加入条件に対して多様な選択を提供してユーザーに最終選択を許容しようとする場合、ＢＳＭは、ステップ５０８で様々なフラグメント識別子を用いて加入応答メッセージを＜表５＞に示すように生成し、ＣｏｎｆｉｒｍａｔｉｏｎＲｅｑｕｉｒｅｄを設定して移動端末に伝送する。
【００７７】
その後、ＢＳＭは、ステップ５０９で、＜表６＞に示すような個人向けサービス確認メッセージを移動端末から受信し、ステップ５１０で該当ユーザーの最終個人向けサービスを確認する。ＢＳＭは、ステップ５１１で、個人向けサービスの使用に必要な暗号キー（ＬＴＫＭＭ）を移動端末に伝送する。
【符号の説明】
【００７８】
１０１    コンテンツ供給者
１０２    ＢＣＡＳＴサービスアプリケーション
１０３    ＢＣＡＳＴサービス分配／調整部
１０４    ＢＣＡＳＴ加入管理部
１０５    移動端末
１１１    ＢＤＳサービス分配部
１１２    ブロードキャスト分配システム
１１３    双方向ネットワーク
２００    管理グループ
２１０    供給グループ
２２０    コアグループ
２３０    アクセスグループ
３０１    移動端末
３０２    ＢＣＡＳＴサービス分配／調整部
３０３    ＢＣＡＳＴ加入管理部
【図１】
2011522450.tif 000015
【図２】
2011522450.tif 000016
【図３】
2011522450.tif 000017
【図４】
2011522450.tif 000018
【図５】
2011522450.tif 000019
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
ブロードキャストサービス（ＢＣＡＳＴ）における個人向けサービスを提供する方法であって、
ＢＣＡＳＴ加入管理部（ＢＳＭ）によって、最大許可コンテンツ要素と最大許可サービス要素を含む少なくとも一つの購買データフラグメントを含むサービス生成要求メッセージをＢＣＡＳＴサービス分配／調整部（ＢＳＤＡ）に送信するステップと、
前記ＢＳＤＡによって、前記購買データフラグメントを用いて個人向けサービスの存在を示すサービスガイドを生成し、前記生成されたサービスガイドを移動端末に転送するステップと、
前記移動端末によって、前記サービスガイドのサービスタイプを確認して前記個人向けサービスの加入を要求するためにサービスの加入要求メッセージを前記ＢＳＭに送信するステップと、
前記ＢＳＭは、前記移動端末のユーザーに対する前記個人向けサービスを生成した後に、前記個人向けサービスに対する加入確認を示すために前記個人向けサービスに対するサービスリストを含む加入応答メッセージを送信し、前記個人向けサービスに対応する暗号キーを前記移動端末に送信するステップと、を具備し、
前記最大許可コンテンツ要素は、前記個人向けサービスの加入当たり許容されるコンテンツの最大数を表し、
前記最大許可サービス要素は、前記個人向けサービスの加入当たり許容されるサービスの最大数を表すことを特徴とする方法。
【請求項２】
前記購買データフラグメントは、前記端末が個人向けサービスに加入する場合に必要な購買情報を示すことを特徴とする請求項１に記載の方法。
【請求項３】
前記サービスガイドは、前記個人向けサービスを指示するサービスタイプが定義されたサービスフラグメントを含むことを特徴とする請求項１に記載の方法。
【請求項４】
前記サービス加入要求メッセージは、ユーザーのための個人向けサービスのための選好情報を示すユーザー選好要素、前記ユーザーが関心あるサービス又はコンテンツジャンルを示すジャンル要素、及び前記ユーザーの細部的な選好度を示す選好プロファイルのうち少なくとも一つを有するサービスフラグメントを含むことを特徴とする請求項１に記載の方法。
【請求項５】
前記ユーザーの細部的な選好度は、前記ユーザーの年齢、性別、職業のうち少なくとも一つを示すことを特徴とする請求項４に記載の方法。
【請求項６】
前記ＢＳＭによって、前記サービス加入要求メッセージに個人向けサービスに必要な情報が含まれていない場合、予め格納されているユーザープロファイルを用いて個人向けサービスに必要な情報を獲得するステップをさらに具備することを特徴とする請求項１に記載の方法。
【請求項７】
前記加入応答メッセージは、前記サービス加入応答メッセージが個人向けサービス加入要求メッセージに対する応答であることを示す要素、前記ユーザーのために生成した個人向けサービスのリストのうち前記ユーザーに最終的に個人向けサービス構成に対する選択を要求する確認要求要素、前記ユーザーにサービス又はコンテンツを提供する時間を前記端末に知らせるためのスケジュールフラグメントの識別子、前記スケジュールフラグメントの時間情報によって提供されるサービスを示すためのサービスフラグメント識別子、及び前記スケジュールフラグメントの時間情報によって提供されるコンテンツを示すためのコンテンツ識別子のうち少なくとも一つを含むことを特徴とする請求項１に記載の方法。
【請求項８】
前記端末によって、前記サービス加入応答メッセージを受信した後に、プロバイダによって提供されるリストからユーザーが選択したサービス又はコンテンツを含む個人向けサービスリスト確認メッセージを前記ＢＳＭに送信するステップをさらに含むことを特徴とする請求項１に記載の方法。
【請求項９】
ブロードキャストサービス（ＢＣＡＳＴ）システムにおける端末による個人向けサービスを提供する方法であって、
ＢＣＡＳＴサービス加入管理部（ＢＳＭ）から個人向けサービスの存在を示すサービスガイドを受信するステップと、
前記端末のユーザーによって選択された個人向けサービスの加入を要求するためのサービス加入要求メッセージを前記ＢＳＭに送信するステップと、
前記ＢＳＭから前記サービス加入要求メッセージに対する応答で、前記ユーザーが加入した個人向けサービスの構成に必要な情報を含む加入応答メッセージを受信するステップと、
前記加入応答メッセージを用いて前記ユーザーに前記個人向けサービスを提供するためのサービス又はコンテンツを登録するステップと、
前記個人向けサービスを構成するサービス又はコンテンツの使用に必要な暗号キーを前記ＢＳＭから受信するステップと、
を具備することを特徴とする方法。
【請求項１０】
前記購買データフラグメントは、前記端末が個人向けサービスに加入する場合に必要な購買情報を示すことを特徴とする請求項９に記載の方法。
【請求項１１】
前記サービスガイドは、前記個人向けサービスを指示するサービスタイプが定義されたサービスフラグメントを含むことを特徴とする請求項９に記載の方法。
【請求項１２】
前記サービス加入要求メッセージは、ユーザーのための個人向けサービスのための選好情報を示すユーザー選好要素、前記ユーザーが関心あるサービス又はコンテンツジャンルを示すジャンル要素、及び前記ユーザーの細部的な選好度を示す選好プロファイルのうち少なくとも一つを有するサービスフラグメントを含むことを特徴とする請求項９に記載の方法。
【請求項１３】
前記ユーザーの細部的な選好度は、前記ユーザーの年齢、性別、職業のうち少なくとも一つを示すことを特徴とする請求項１２に記載の方法。
【請求項１４】
前記加入応答メッセージは、前記サービス加入応答メッセージが個人向けサービス加入要求メッセージに対する応答であることを示す要素、前記ユーザーのために生成した個人向けサービスのリストのうち前記ユーザーに最終的に個人向けサービス構成に対する選択を要求する確認要求要素、前記ユーザーにサービス又はコンテンツを提供する時間を前記端末に知らせるためのスケジュールフラグメントの識別子、前記スケジュールフラグメントの時間情報によって提供されるサービスを示すためのサービスフラグメント識別子、及び前記スケジュールフラグメントの時間情報によって提供されるコンテンツを示すためのコンテンツ識別子のうち少なくとも一つを含むことを特徴とする請求項９に記載の方法。
【請求項１５】
前記端末によって、前記サービス加入応答メッセージを受信した後に、プロバイダによって提供されるリストからユーザーが選択したサービス又はコンテンツを含む個人向けサービスリスト確認メッセージを前記ＢＳＭに送信するステップをさらに含むことを特徴とする請求項９に記載の方法。
【請求項１６】
前記ユーザーの最終選択が必要である場合、個人向けサービスリスト確認メッセージを送信するステップをさらに具備することを特徴とする請求項９に記載の方法。
【請求項１７】
ブロードキャストサービス（ＢＣＡＳＴ）加入管理部（ＢＳＭ）における個人向けサービスを提供する方法であって、
ＢＣＡＳＴサービス分配／調整部（ＢＳＤＡ）に個人向けサービスの生成を要求するステップと、
前記ＢＳＤＡによって生成されたサービスガイドを受信した端末からサービス加入要求メッセージを受信するステップと、
前記サービス加入要求メッセージが個人向けサービス加入要求メッセージであると、前記サービス加入要求メッセージに含まれた個人向けサービス生成情報又は前記ＢＳＭに予め格納されているプロファイルを用いて個人向けサービスを生成するステップと、
個人向けサービスに該当する各フラグメントの識別子を含む加入応答メッセージを前記端末に送信するステップと、
を具備することを特徴とする方法。
【請求項１８】
前記購買データフラグメントは、前記端末が個人向けサービスに加入する場合に必要な購買情報を示すことを特徴とする請求項１７に記載の方法。
【請求項１９】
前記サービスガイドは、前記個人向けサービスを指示するサービスタイプが定義されたサービスフラグメントを含むことを特徴とする請求項１７に記載の方法。
【請求項２０】
前記サービス加入要求メッセージは、ユーザーのための個人向けサービスのための選好情報を示すユーザー選好要素、前記ユーザーが関心あるサービス又はコンテンツジャンルを示すジャンル要素、及び前記ユーザーの細部的な選好度を示す選好プロファイルのうち少なくとも一つを有するサービスフラグメントを含むことを特徴とする請求項１７に記載の方法。
【請求項２１】
前記ユーザーの細部的な選好度は、前記ユーザーの年齢、性別、職業のうち少なくとも一つを示すことを特徴とする請求項２０に記載の方法。
【請求項２２】
前記ＢＳＭによって、前記サービス加入要求メッセージに個人向けサービスに必要な情報が含まれていない場合、予め格納されているユーザープロファイルを用いて個人向けサービスに必要な情報を獲得するステップをさらに具備することを特徴とする請求項１７に記載の方法。
【請求項２３】
ユーザーが要求した加入条件に対して多様な選択を提供し、ユーザーに最終的に個人向けサービスの構成に対する選択を許容するための確認要求要素が含まれた前記加入応答メッセージを生成するステップと、
前記端末から個人向けサービスリスト確認メッセージを受信するステップと、
前記個人向けサービスリスト確認メッセージに含まれた前記ユーザーによって選択された最終個人向けサービスを登録するステップと、
前記個人向けサービスの使用に必要な暗号キーを前記移動端末に送信するステップと、
をさらに具備することを特徴とする請求項１７に記載の方法。
【請求項２４】
個人向けサービスを提供するブロードキャストサービス（ＢＣＡＳＴ）システムであって、
最大許可コンテンツ要素と最大許可サービス要素を含む少なくとも一つの購買データフラグメントを含むサービス生成要求メッセージを生成するＢＣＡＳＴ加入管理部（ＢＳＭ）と、
前記サービス生成要求メッセージに含まれた前記購買データフラグメントを用いて個人向けサービスの存在を示すサービスガイドを生成し、前記生成されたサービスガイドを伝送するＢＣＡＳＴサービス分配／調整部（ＢＳＤＡ）と、
前記サービスガイドのサービスタイプを確認して前記個人向けサービスの加入を要求するためにサービス加入要求メッセージを前記ＢＳＭに送信する端末と、を含み、
前記ＢＳＭは、前記サービス加入要求メッセージを受信した後に、前記移動端末のユーザーに対する個人向けサービスを生成し、前記個人向けサービスに対する加入確認を示すために前記個人向けサービスに対するサービスリストを含む加入応答メッセージを送信した後に、前記個人向けサービスに対応する暗号キーを前記端末に伝送し、
前記最大許可コンテンツ要素は、前記個人向けサービスの加入当たり許容されるコンテンツの最大数を表し、
前記最大許可サービス要素は、前記個人向けサービスの加入当たり許容されるサービスの最大数を表すことを特徴とするシステム。
【請求項２５】
前記購買データフラグメントは、前記端末が個人向けサービスに加入する場合に必要な購買情報を示すことを特徴とする請求項２４に記載のシステム。
【請求項２６】
前記サービスガイドは、前記個人向けサービスを指示するサービスタイプが定義されたサービスフラグメントを含むことを特徴とする請求項２４に記載のシステム。
【請求項２７】
前記サービス加入要求メッセージは、ユーザーのための個人向けサービスのための選好情報を示すユーザー選好要素、前記ユーザーが関心あるサービス又はコンテンツジャンルを示すジャンル要素、及び前記ユーザーの細部的な選好度を示す選好プロファイルのうち少なくとも一つを有するサービスフラグメントを含むことを特徴とする請求項２４に記載のシステム。
【請求項２８】
前記ユーザーの細部的な選好度は、前記ユーザーの年齢、性別、職業のうち少なくとも一つを示すことを特徴とする請求項２７に記載のシステム。
【請求項２９】
前記ＢＳＭによって、前記サービス加入要求メッセージに個人向けサービスに必要な情報が含まれていない場合、予め格納されているユーザープロファイルを用いて個人向けサービスに必要な情報を獲得するステップをさらに具備することを特徴とする請求項２４に記載のシステム。
【請求項３０】
前記加入応答メッセージは、前記サービス加入応答メッセージが個人向けサービス加入要求メッセージに対する応答であることを示す要素、前記ユーザーのために生成した個人向けサービスのリストの中で前記ユーザーに最終的に個人向けサービスの構成に対する選択を要求する確認要求要素、前記ユーザーにサービス又はコンテンツを提供する時間を前記端末に知らせるためのスケジュールフラグメントの識別子、前記スケジュールフラグメントの時間情報によって提供されるサービスを示すためのサービスフラグメント識別子、及び前記スケジュールフラグメントの時間情報によって提供されるコンテンツを示すためのコンテンツ識別子のうち少なくとも一つを含むことを特徴とする請求項２４に記載のシステム。
【請求項３１】
前記端末によって、前記サービス加入応答メッセージを受信した後に、プロバイダによって提供されるリストからユーザーが選択したサービス又はコンテンツを含む個人向けサービスリスト確認メッセージを前記ＢＳＭに送信するステップをさらに含むことを特徴とする請求項２４に記載のシステム。
【手続補正２】
【補正対象書類名】明細書
【補正対象項目名】００４０
【補正方法】変更
【補正の内容】
【００４０】
本発明の他の態様によれば、ブロードキャストサービス（ＢＣＡＳＴ）における個人向けサービスを提供する方法であって、ＢＣＡＳＴ加入管理部（ＢＳＭ）によって、最大許可コンテンツ要素と最大許可サービス要素を含む少なくとも一つの購買データフラグメントを含むサービス生成要求メッセージをＢＣＡＳＴサービス分配／調整部（ＢＳＤＡ）に送信するステップと、前記ＢＳＤＡによって、前記購買データフラグメントを用いて個人向けサービスの存在を示すサービスガイドを生成し、前記生成されたサービスガイドを移動端末に転送するステップと、前記移動端末によって、前記サービスガイドのサービスタイプを確認して前記個人向けサービスの加入を要求するためにサービスの加入要求メッセージを前記ＢＳＭに送信するステップと、前記ＢＳＭは、前記移動端末のユーザーに対する前記個人向けサービスを生成した後に、前記個人向けサービスに対する加入確認を示すために前記個人向けサービスに対するサービスリストを含む加入応答メッセージを送信し、前記個人向けサービスに対応する暗号キーを前記移動端末に送信するステップと、を具備し、前記最大許可コンテンツ要素は、前記個人向けサービスの加入当たり許容されるコンテンツの最大数を表し、前記最大許可サービス要素は、前記個人向けサービスの加入当たり許容されるサービスの最大数を表すことを特徴とする。
【国際調査報告】
2011522450.tif 000020
2011522450.tif 000021
2011522450.tif 000022
2011522450.tif 000023